(57)【特許請求の範囲】
【請求項１】
印加される電界強度に応じて、入射する光の強度が変化して出射するように構成されたセンサヘッド、該センサヘッドの入射光の光源、前記センサヘッドからの出射光を検出する受光器、前記光源から前記センサヘッドまでおよび該センサヘッドから前記受光器までの光の伝送路をなす光ファイバ、および印加電界を受信し前記センサヘッドに入力するアンテナから構成される電界センサにおいて、前記アンテナは、シート状の形状記憶合金から構成され、前記センサヘッドまたは該センサヘッドを収容するパッケージの両側面に対称に取り付けられ、電磁波を放射する被計測物の曲面の表面形状に倣って変形させて、前記電界強度を測定するよう構成されていることを特徴とする電界センサ。
【請求項２】
前記センサヘッドは、電気光学効果を示す基板上に形成された分岐干渉型光導波路、および該分岐干渉型光導波路の２本の位相シフト光導波路の近傍に配置した変調電極から構成された光導波路素子型センサヘッドであることを特徴とする請求項１記載の電界センサ。
【発明の詳細な説明】
【０００１】
【発明の属する技術分野】
本発明は、電波や電磁ノイズの測定に用いられる電界センサに関し、特に、電磁波による電界強度を測定するための、および放送電波等の特定周波数の信号電波の受信アンテナとして機能する電界センサに関する。
【０００２】
【従来の技術】
コンピュータ等の情報機器や通信機器、あるいはロボット等のＦＡ機器、自動車、鉄道等の制御器など多くの電気機器は、外部からの電磁ノイズによって誤動作などの影響を受ける危険を常にもっている。従って、ＥＭＣ分野においては、外部の電磁環境や影響を及ぼすようなノイズの大きさ、また自らが発生するノイズ等を正確に測定することが重要となっている。
【０００３】
上述のような電磁ノイズの測定には、従来、（ａ）通常のアンテナを用いて受信し、導電ケーブルで測定器まで導く方法、（ｂ）アンテナによって受信した信号を検波して、発光ダイオードによって光信号に変換し光ファイバで測定器まで導く方法、（ｃ）印加される電界強度に応じて、入射した光の強度が変化して出射するように構成された光学素子を用いて電界強度変化を光強度変化に変換し、光ファイバを通じて受光器まで導く方法がある。
【０００４】
（ａ）のアンテナを用いる方法は、古くから採り入れられ、最も一般的な方法であるが、長い距離にわたる導電ケーブル等の存在により、電界分布が乱れてしまったり、ケーブル途中からのノイズ混入の恐れがあるなどの問題があったため、光ファイバを用いた上記（ｂ）、（ｃ）の方法が開発されている。
【０００５】
（ｂ）の方法は、ダイオードで検波した信号を増幅して発光ダイオードに加え、光信号に変換して光ファイバで受光器に導くものであるが、センサヘッド部に電気回路やバッテリを必要とし、形状が大きくなってしまい、また、電界の検出感度が低く、応答速度が遅いという欠点がある。
【０００６】
（ｃ）の方法では、電界強度を透過光の強度変化に変換する光学素子として電気光学効果を有する結晶を用いている。その素子構造には、バルク素子と導波路型素子の２種類がある。前者は、光ファイバの出射光をレンズで平行光として、アンテナと接続した電極を取り付けた結晶中を通過させて結晶中の電界により偏光状態を変化させ、検光子で強度変化に変換した後、再び光ファイバに結合するバルク素子である。後者の導波路型素子は、結晶基板に設けた光導波路により構成される。通常、導波路型の方がバルク型よりも１０倍以上検出感度が高い。導波路型の電界センサ用基板結晶には、電気光学定数の高いニオブ酸リチウム単結晶が一般に使われている。
【０００７】
図５は、電気光学効果による電界センサの構成を示す図である。図６は、導波路型のセンサヘッド９の構成を示す図である。図６に示すように、センサヘッド９は、ｃ軸に垂直に切り出したニオブ酸リチウム単結晶の基板１０上に入出射光導波路２４、そこから分岐した位相シフト光導波路２５、および２本の位相シフト光導波路２５の端面に形成した反射部２６から形成されている。入出射光導波路２４の端には、偏波面保持ファイバ１６が結合されている。また、位相シフト光導波路２５上には、一対の変調電極２７が設置され、導電ケーブル４４を経由してアンテナ４１に接続されている。
【０００８】
光源５からシングルモードファイバ１５を通ったセンサヘッド９の入射光は、入出射光導波路２４に入射した後、二つの位相シフト光導波路２５にエネルギーが分割され、反射部２６で反射されてもとの光路をもどる。電界が印加された場合、アンテナ４１により変調電極２７に電圧が誘起されて、二つの位相シフト光導波路２５中には、深さ方向に互いに反対向きの電界成分が生じる。その結果、二つの光波間で印加電界の大きさに応じて位相差が生じ、印加電界強度に応じて入出射光導波路２４端から再び出射される出射光の強度は変化する。この出射光は、光サーキュレータ６によって入射光と分離され、受光器７に入射し、電気信号に変換の上で測定器８によって印加電界の強度が測定される。この構成の場合、センサヘッド９と受光器７は、光ファイバで接続されているため、長距離でも減衰は少なく、また伝送路と環境との間のノイズの授受がないなどの特徴がある。
【０００９】
【発明が解決しようとする課題】
電磁ノイズ発生源の特定、およびその電界の正確な測定および解析は、電気機器の誤動作の原因究明、除去、若しくは予防に不可欠であることは論を待たない。従来の電界センサは、直線状のダイポールアンテナをはじめとして、広い空間の電界計測に偏重して対象としていたきらいは否定できない。一般に、放射される電界は、電磁波を放射する対象物に近接し、かつ該対象物表面に垂直に計測することが望ましい。
【００１０】
本発明は、かかる背景のもと、必ずしも平面ではない形状をなす電磁波発生物体についても、当該表面形状に沿って感度の高い電界測定を可能とする電界センサを提供することである。
【００１１】
【課題を解決するための手段】
前記課題を解決するために、本発明は、印加される電界強度に応じて、入射する光の強度が変化して出射するように構成されたセンサヘッド、センサヘッドの入射光の光源、センサヘッドからの出射光を検出する受光器、光源からセンサヘッドまでおよびセンサヘッドから受光器までの光の伝送路をなす光ファイバ、および、印加電界を受信しセンサヘッドに入力するアンテナから構成される電界センサにおいて、アンテナは、シート状の形状記憶合金から構成され、センサヘッドまたはこのセンサヘッドを収容するパッケージの両側面に対称に取り付けられ、電磁波を放射する被計測物の曲面の表面形状に倣って変形させて、電界強度を測定するよう構成されている電界センサである。
【００１４】
さらに、本発明は、センサヘッドが電気光学効果を示す基板上に形成された分岐干渉型光導波路、および分岐干渉型光導波路の２本の位相シフト光導波路の近傍に配置した変調電極から構成される光導波路素子型センサヘッドの電界センサである。
【００１５】
【発明の実施の形態】
以下に、本発明の実施の形態について、図面を参照して説明する。
【００１６】
まず、本発明の第１の実施の形態について説明する。
【００１７】
図１は、本発明の第１の実施の形態である電界センサの構成を示す図である。図１において、センサヘッド９は、パッケージ１１に収納されており、パッケージ１１の両側面には、一対のシート状アンテナ１２が対称に固定されている。また、シート状アンテナ１２は、パッケージ１１内部でセンサヘッド９の変調電極に接続されている。シート状アンテナ１２は、Ｔｉ−Ｎｉ系の形状記憶合金から構成されている。
【００１８】
また、図１において、電界の被測定物３０は、円柱形状をなしており、パッケージ１１をこれに近接させてシート状アンテナ１２をこの被測定物３０の外形に倣った形状に変形させることができる。また、パッケージ１１、またはシート状アンテナ１２を粘着テープ等によって被測定物３０に固定することもできる。シート状アンテナ１２は、容易に変形させることができ、使用後は相変態温度以上に加熱すればもとの形状に回復し、または折り畳んで小さくできるなど、使用上の利便性および耐久性において優れている。
【００１９】
本発明による電界センサでは、センサヘッド９がシート状アンテナ１２と実質一体となっているほか、シート状アンテナ１２を被測定物３０に近接させることによって、センサヘッド９とシート状アンテナ１２の間での検出対象外であるノイズの侵入を避けられ、かつ高感度での電界測定が可能となる。なお、図３は、図１に対比するために引用した平板形状をなし、変形しにくいアンテナ１３の図である。図３に示されるアンテナ１３を使った場合と比較して、図１の構成の電界センサの検出感度は３ｄＢ高いことが実証された。
【００２０】
次に、本発明の第２の実施の形態について説明する。
【００２１】
図２は、本発明の第２の実施の形態でダイポールアンテナ１４に適用した電界センサの構成を示す図である。図２に示すように、センサヘッド９を収納したパッケージ１１の両側面にダイポールアンテナ１４を固定した電界センサも、形状記憶合金からなるアンテナとすることにより、図１に示した電界センサの場合と同様の効果をもたらす。図４は、図２に対比するために引用した直線形状で変形しにくいダイポールアンテナ１４の図である。
もちろん、アンテナを、例えば、アルミニウムやステンレススチール等で、かつ形状を変形しやすいような素材で構成することとすれば、前記のように、アンテナを被測定物の表面形状に倣って変形させることもできる。
【００２２】
【発明の効果】
以上説明したように、本発明によれば、必ずしも平面ではない形状をなす電磁波発生物体についても、アンテナを近接するとともに当該表面形状に倣った形状に変形させることによって、感度の高い電界測定を可能とする電界センサを提供できる。
【図面の簡単な説明】
【図１】本発明の第１の実施の形態である電界センサの構成図。
【図２】本発明の第２の実施の形態である電界センサの構成図。
【図３】図１に対比するために引用した平板形状で変形しにくいアンテナの図。
【図４】図２に対比するために引用した直線形状で変形しにくいダイポールアンテナの図。
【図５】電気光学効果による光電界センサの構成図。
【図６】導波路型のセンサヘッドの構成図。
【符号の説明】
５    光源
６    光サーキュレータ
７    受光器
８    測定器
９    センサヘッド
１０    基板
１１    パッケージ
１２    シート状アンテナ
１３    アンテナ
１４    ダイポールアンテナ
１５    シングルモードファイバ
１６    偏波面保持ファイバ
２４      入出射光導波路
２５    位相シフト光導波路
２６    反射部
２７    変調電極
３０      被測定物
４１    アンテナ
４２    バルン
４４    導電ケーブル
【図１】
0003611409.tif 000002
【図２】
0003611409.tif 000003
【図３】
0003611409.tif 000004
【図４】
0003611409.tif 000005
【図５】
0003611409.tif 000006
【図６】
0003611409.tif 000007